(57)【要約】【課題】地図上に画像が表示される際に高い利便性を実現することが可能な情報処理装置、情報処理システム、ナビゲーションシステム、情報処理方法及びプログラムを提供すること。【解決手段】本発明に係る情報処理装置は、記憶手段と、通信手段と、制御手段とを具備する。上記記憶手段は、地図上のスポットに関連付けられたスポット画像を記憶する。上記通信手段は、上記スポットに対する評価情報を受信する。上記制御手段は、上記評価情報から得られる注目指数に応じて上記スポット画像の大きさを決定し、上記スポット画像を地図上に配置したウェブサイト画像を生成し、上記ウェブサイト画像を他の情報処理装置に送信するように上記通信手段を制御する。【選択図】図５
2019015979.tif 000002
【特許請求の範囲】
【請求項１】
地図上のスポットに関連付けられたスポット画像を記憶する記憶手段と、
前記スポットに対する評価点数及び投稿回数のうち少なくとも１つを受信する通信手段と、
前記評価点数及び前記投稿回数のうち少なくとも１つから得られる注目指数に応じて前記スポット画像の大きさを決定し、前記スポット画像を地図上に配置したウェブサイト画像を生成し、前記ウェブサイト画像を他の情報処理装置に送信するように前記通信手段を制御する制御手段と
を具備する情報処理装置。
【請求項２】
請求項１に記載の情報処理装置であって、
前記制御手段は、前記スポット画像が地図上において重複する場合、前記スポット画像を地図外に配置し、前記スポット画像が関連付けられた地図上のスポットと前記スポット画像を引き込み線で接続したウェブサイト画像を生成する
情報処理装置。
【請求項３】
請求項１に記載の情報処理装置であって、
前記制御手段は、地図上に占める前記スポット画像の割合が一定以上の場合、前記スポット画像を地図外に配置し、前記スポット画像が関連付けられた地図上のスポットと前記スポット画像を引き込み線で接続したウェブサイト画像を生成する
情報処理装置。
【請求項４】
請求項１から３のうちいずれか一つに記載の情報処理装置であって、
前記制御手段は、前記スポット画像に画像の内容を表す識別子を付し、前記通信手段が前記他の情報処理装置から検索条件を含むウェブサイト画像の取得要求を受信すると、前記検索条件に対応する識別子が付されたスポット画像を前記ウェブサイト画像に配置するスポット画像として選択する
情報処理装置。
【請求項５】
地図上のスポットに関連付けられたスポット画像を記憶する記憶手段と、
前記スポットに対する評価点数及び投稿回数のうち少なくとも１つを受信する通信手段と、
前記評価点数及び前記投稿回数のうち少なくとも１つから得られる注目指数に応じて前記スポット画像の表示態様を決定し、前記スポット画像を地図上に配置したウェブサイト画像を生成し、前記ウェブサイト画像を他の情報処理装置に送信するように前記通信手段を制御する制御手段と
を具備する情報処理装置。
【請求項６】
請求項５に記載の情報処理装置であって、
前記制御手段は、前記スポット画像が地図上において重複する場合、重複するスポット画像のうち地図上に配置するスポット画像を、前記注目指数に応じた頻度で選択する
情報処理装置。
【請求項７】
請求項５に記載の情報処理装置であって、
前記制御手段は、前記スポット画像が地図上において重複する場合、重複するスポット画像を、前記注目指数に応じた順序で重畳させる
情報処理装置。
【請求項８】
地図上のスポットに対する評価点数及び投稿回数のうち少なくとも１つから得られる注目指数に応じて前記スポットに関連付けられたスポット画像の大きさを決定し、前記スポット画像を地図上に配置した画像を生成する制御手段
を具備する情報処理装置。
【請求項９】
地図上のスポットに関連付けられたスポット画像を記憶する記憶手段と、
前記スポットに対する評価点数及び投稿回数のうち少なくとも１つを受信する第１の通信手段と、
前記評価点数及び前記投稿回数のうち少なくとも１つから得られる注目指数に応じて前記スポット画像の大きさを決定し、前記スポット画像を地図上に配置したウェブサイト画像を生成し、前記ウェブサイト画像を第２の情報処理装置に送信するように前記第１の通信手段を制御する第１の制御手段と
を備える第１の情報処理装置と、
前記第１の通信手段から前記ウェブサイト画像を受信する第２の通信手段と、
前記ウェブサイト画像を表示させる第２の制御手段と
を備える第２の情報処理装置と
を具備する情報処理システム。
【請求項１０】
地図上のスポットに関連付けられたスポット画像を記憶する記憶手段と、
前記スポットに対する評価点数及び投稿回数のうち少なくとも１つを受信する第１の通信手段と、
前記評価点数及び前記投稿回数のうち少なくとも１つと前記スポット画像をナビゲーション装置に送信するように前記第１の通信手段を制御する第１の制御手段と
を備える情報処理装置と、
前記情報処理装置から前記評価点数及び前記投稿回数のうち少なくとも１つと前記スポット画像を受信する第２の通信手段と、
前記評価点数及び前記投稿回数のうち少なくとも１つから得られる注目指数に応じて前記スポット画像の大きさを決定し、前記スポット画像を地図上に配置した地図画像を生成し、前記地図画像を表示させる第２の制御手段と
を備えるナビゲーション装置と
を具備するナビゲーションシステム。
【請求項１１】
地図上のスポットに関連付けられたスポット画像を記憶し、
前記スポットに対する評価点数及び投稿回数のうち少なくとも１つを受信し、
前記評価点数及び前記投稿回数のうち少なくとも１つから得られる注目指数に応じて前記スポット画像の大きさを決定し、前記スポット画像を地図上に配置したウェブサイト画像を生成し、前記ウェブサイト画像を他の情報処理装置に送信するように通信手段を制御する
情報処理方法。
【請求項１２】
情報処理装置に、
地図上のスポットに関連付けられたスポット画像を記憶するステップと、
前記スポットに対する評価点数及び投稿回数のうち少なくとも１つを受信するステップと、
前記評価点数及び前記投稿回数のうち少なくとも１つから得られる注目指数に応じて前記スポット画像の大きさを決定し、前記スポット画像を地図上に配置したウェブサイト画像を生成し、前記ウェブサイト画像を他の情報処理装置に送信するように通信手段を制御するステップと
を実行させるプログラム。
【発明の詳細な説明】
【技術分野】
【０００１】
本発明は、地図上に画像を表示する情報処理装置、情報処理システム、ナビゲーションシステム、情報処理方法及びプログラムに関する。
【背景技術】
【０００２】
従来から、地図上のスポット（飲食店、観光施設等）に画像が表示されるウェブサイトが提供されている。画像は、ウェブサイト運営者が予め準備した画像やユーザによって投稿された画像であり、典型的には、飲食店の外観や料理、あるいは観光施設等を撮像した画像である。各画像は地図上のスポットに関連付けられており、ユーザはウェブブラウザや地図閲覧用アプリケーションを用いて地図と共に地図上の各スポットに配置された画像を参照することができる。
【先行技術文献】
【特許文献】
【０００３】
【特許文献１】特開２０１３−０１６１５６号公報
【発明の概要】
【発明が解決しようとする課題】
【０００４】
しかしながら、地図上に複数の画図が表示されると、ユーザが画像を参照して所望のスポットを選択することが困難となる。また、地図上に表示される画像の大きさや数によっては、地図の参照が妨げられるおそれがある。
【０００５】
以上のような事情に鑑み、本発明の目的は、地図上に画像が表示される際に高い利便性を実現することが可能な情報処理装置、情報処理システム、ナビゲーションシステム、情報処理方法及びプログラムを提供することにある。
【課題を解決するための手段】
【０００６】
上記目的を達成するため、本発明の一形態に係る情報処理装置は、記憶手段と、通信手段と、制御手段とを具備する。
上記記憶手段は、地図上のスポットに関連付けられたスポット画像を記憶する。
上記通信手段は、上記スポットに対する評価情報を受信する。
上記制御手段は、上記評価情報から得られる注目指数に応じて上記スポット画像の大きさを決定し、上記スポット画像を地図上に配置したウェブサイト画像を生成し、上記ウェブサイト画像を他の情報処理装置に送信するように上記通信手段を制御する。
【０００７】
この構成によれば、地図上に配置されるスポット画像は、スポットに対する評価情報から得られる注目指数によってその大きさが決定される。これにより、注目度が高いスポット画像は地図上で大きく表示され、注目度が小さいスポット画像は地図上で小さく表示されるため、ユーザは注目度の高いスポットを容易に把握することが可能となる。また、注目度が小さいスポットのスポット画像による地図の被覆が低減されるため、地図の利便性が向上する。
【０００８】
上記制御手段は、上記スポット画像が地図上において重複する場合、上記スポット画像を地図外に配置し、上記スポット画像が関連付けられた地図上のスポットと上記スポット画像を引き込み線で接続したウェブサイト画像を生成してもよい。
【０００９】
この構成によれば、地図上でのスポット画像の重複を解消し、地図上のスポットとスポット画像の関連を明示しながらスポット画像の視認性を向上させることが可能となる。
【００１０】
上記制御手段は、地図上に占める上記スポット画像の割合が一定以上の場合、上記スポット画像を地図外に配置し、上記スポット画像が関連付けられた地図上のスポットと上記スポット画像を引き込み線で接続したウェブサイト画像を生成してもよい。
【００１１】
この構成によれば、スポット画像による地図の被覆を低減し、地図上のスポットとスポット画像の関連を明示しながら地図の視認性を向上させることが可能となる。
【００１２】
上記制御手段は、上記スポット画像に画像の内容を表す識別子を付し、上記通信手段が上記他の情報処理装置から検索条件を含むウェブサイト画像の取得要求を受信すると、上記検索条件に対応する識別子が付されたスポット画像を前記ウェブサイト画像に配置するスポット画像として選択してもよい。
【００１３】
この構成によれば、ユーザが検索条件を指定すると、検索条件に合致したスポット画像がウェブサイト画像上に配置されるため、ユーザの利便性を向上させることが可能となる。
【００１４】
上記目的を達成するため、本発明の一形態に係る情報処理装置は、記憶手段と、通信手段と、制御手段とを具備する。
上記記憶手段は、地図上のスポットに関連付けられたスポット画像を記憶する。
上記通信手段は、前記スポットに対する評価情報を受信する。
上記制御手段は、前記評価情報から得られる注目指数に応じて前記スポット画像の表示態様を決定し、前記スポット画像を地図上に配置したウェブサイト画像を生成し、前記ウェブサイト画像を他の情報処理装置に送信するように前記通信手段を制御する。
【００１５】
この構成によれば、 地図上に配置されるスポット画像は、スポットに対する評価情報から得られる注目指数によってその表示態様が決定される。注目度が高いスポット画像の視認性を高く、注目度が低いスポット画像の視認性を小さくすることにより、ユーザは注目度の高いスポットを容易に把握することが可能となる。また、注目度が小さいスポットのスポット画像による地図の被覆が低減されるため、地図の利便性が向上する。
【００１６】
前記制御手段は、前記スポット画像が地図上において重複する場合、重複するスポット画像のうち地図上に配置するスポット画像を、注目指数に応じた頻度で選択してもよい。
【００１７】
この構成によれば、注目度が高いスポットのスポット画像を高頻度で、注目度が小さいスポットのスポット画像を低頻度で表示させることが可能であり、ユーザは注目度が高いスポットのスポット画像を視認しやすくなる。
【００１８】
前記制御手段は、前記スポット画像が地図上において重複する場合、重複するスポット画像を、注目指数に応じた順序で重畳させてもよい。
【００１９】
この構成によれば、注目度が高いスポットのスポット画像が高階層に、注目度が小さいスポットのスポット画像が低階層となるように重畳させて表示させることが可能であり、ユーザは注目度が高いスポットのスポット画像を視認しやすくなる。
【００２０】
上記目的を達成するため、本発明の一形態に係る情報処理装置は、制御手段を具備する。
上記制御手段は、地図上のスポットに対する評価情報から得られる注目指数に応じて上記スポットに関連付けられたスポット画像の大きさを決定し、上記スポット画像を地図上に配置した画像を生成する。
【００２１】
上記目的を達成するため、本発明の一形態に係る情報処理システムは、記憶手段と、第１の通信手段と、第１の制御手段とを備える第１の情報処理装置と、第２の通信手段と、第２の制御手段とを備える第２の情報処理装置とを具備する。    
上記記憶手段は、地図上のスポットに関連付けられたスポット画像を記憶する。
上記通信手段は、上記スポットに対する評価情報を受信する。
上記第１の制御手段は、評価情報から得られる注目指数に応じて上記スポット画像の大きさを決定し、上記スポット画像を地図上に配置したウェブサイト画像を生成し、上記ウェブサイト画像を第２の情報処理装置に送信するように上記第１の通信手段を制御する。
上記第２の通信手段は、上記第１の通信手段から上記ウェブサイト画像を受信する。
上記第２の制御手段は、上記ウェブサイト画像を表示させる。
【００２２】
上記目的を達成するため、本発明の一形態に係るナビゲーションシステムは、記憶手段と、第１の通信手段と、第１の制御手段とを備える情報処理装置と、第２の通信手段と、第２の制御手段とを備えるナビゲーション装置とを具備する。
上記記憶手段は、地図上のスポットに関連付けられたスポット画像を記憶する。
上記第１の通信手段は、上記スポットに対する評価情報を受信する。
上記第１の制御手段は、上記評価情報と上記スポット画像をナビゲーション装置に送信するように上記第１の通信手段を制御する。
上記第２の通信手段は、上記情報処理装置から上記評価情報と上記スポット画像を受信する。
上記第２の制御手段は、上記評価情報から得られる注目指数に応じて上記スポット画像の大きさを決定し、上記スポット画像を地図上に配置した地図画像を生成し、上記地図画像を表示させる。
【００２３】
上記目的を達成するため、本発明の一形態に係る情報処理方法は、地図上のスポットに関連付けられたスポット画像を記憶し、上記スポットに対する評価情報を受信し、上記評価情報から得られる注目指数に応じて上記スポット画像の大きさを決定し、上記スポット画像を地図上に配置したウェブサイト画像を生成し、上記ウェブサイト画像を他の情報処理装置に送信するように上記通信手段を制御する。
【００２４】
上記目的を達成するため、本発明の一形態に係るプログラムは、情報処理装置に、地図上のスポットに関連付けられたスポット画像を記憶するステップと、上記スポットに対する評価情報を受信するステップと、上記評価情報から得られる注目指数に応じて上記スポット画像の大きさを決定し、上記スポット画像を地図上に配置したウェブサイト画像を生成し、上記ウェブサイト画像を他の情報処理装置に送信するように上記通信手段を制御するステップとを実行させる。
【発明の効果】
【００２５】
以上説明したように、本発明によれば、地図上に画像が表示される際に高い利便性を実現することが可能な情報処理装置、情報処理システム、ナビゲーションシステム、情報処理方法及びプログラムを提供することができる。ただし、この効果は本発明を限定するものではない。
【図面の簡単な説明】
【００２６】
【図１】本発明の実施形態に係る情報処理システムの模式図である。
【図２】同情報処理システムの機能的構成を示すブロック図である。
【図３】同情報処理システムが備えるサーバ装置の記憶部に記憶されるスポットデータの例である。
【図４】同情報処理システムの動作を示すフローチャートである。
【図５】同情報処理システムが備えるユーザ端末が生成する画像の例である。
【図６】同情報処理システムが備えるユーザ端末が生成する画像の例である。
【図７】同情報処理システムが備えるユーザ端末が生成する画像の例である。
【図８】同情報処理システムが備えるユーザ端末が生成する画像の例である。
【図９】同情報処理システムが備えるユーザ端末が生成する画像の例である。
【図１０】同情報処理システムが備えるサーバ装置のハードウェア構成を示すブロック図である。
【図１１】同情報処理システムが備えるユーザ端末のハードウェア構成を示すブロック図である。
【図１２】本発明の変形例に係る情報処理システムの動作を示すフローチャートである。
【図１３】同情報処理システムが備えるユーザ端末が生成する画像の例である。
【図１４】同情報処理システムが備えるユーザ端末が生成する画像の例である。
【図１５】本発明の変形例に係る情報処理システムの動作を示すフローチャートである。
【図１６】同情報処理システムが備えるユーザ端末が生成する画像の例である。
【図１７】本発明の変形例に係る情報処理システムの動作を示すフローチャートである。
【図１８】本発明の変形例に係る情報処理システムの動作を示すフローチャートである。
【発明を実施するための形態】
【００２７】
本発明の実施形態に係る情報処理システムについて説明する。
【００２８】
［情報処理システムの構成］
図１は、本実施形態に係る情報処理システム１０の構成を示す模式図である。同図に示すように、情報処理システム１０はサーバ装置１００とユーザ端末２００を備える。サーバ装置１００とユーザ端末２００はインターネット３００を介して互いに接続されている。
【００２９】
サーバ装置１００は、地図情報を含むウェブサイト（以下、地図サイト）を提供するウェブサーバであり、ユーザ端末２００は、インターネット３００を介して当該地図サイトにアクセス可能な情報処理装置である。ユーザ端末２００は例えばスマートフォン、携帯電話、タブレットＰＣ（Personal Computer）、ノートブックＰＣ、デスクトップＰＣ又はナビゲーション装置等である。
【００３０】
図２は、サーバ装置１００とユーザ端末２００の機能的構成を示すブロック図である。同図に示すように、サーバ装置１００は、記憶部１０１、制御部１０２及び通信部１０３を備える。これらの機能的構成は、ハードウェアとソフトウェアの協働によって実現される。
【００３１】
記憶部１０１は、地図データ１０１ａ、スポットデータ１０１ｂ及びウェブサイトデータ１０１ｃを記憶する。
【００３２】
地図データ１０１ａは、地図のデジタルデータである。地図データ１０１ａは典型的にはＧＩＳ（geographic information system）データである。
【００３３】
スポットデータ１０１ｂは、地図データ１０１ａ上のスポットに関連付けられたデータである。スポットの種類は特に限定されず、飲食店や観光施設等である。各スポットにはそれぞれ対応するスポットデータ１０１ｂが設けられている。スポットデータ１０１ｂの数は特に限定されない。
【００３４】
図３は、スポットデータ１０１ｂの例を示す模式図である。同図に示すようにスポットデータ１０１ｂには、各スポットの所在地、スポット画像Ｇ、評価点数等が含まれている。
【００３５】
各スポットの所在地は住居表示や座標（緯度及び経度）等とすることができる。スポット画像Ｇは、各スポットに対して設定された画像であり、店舗の外観や内装、店舗で提供される料理又は観光施設等の写真やイラスト、あるいはアイコン等である。各スポットに対して設定されたスポット画像は一つでも複数でもよい。
【００３６】
評価点数は、地図サイト運営者または地図サイト利用者による各スポットに対する評価である。地図サイト利用者にはユーザの他、キュレーター（情報を収集、整理し、他のユーザに提供する者）が含まれる。
【００３７】
スポットデータ１０１ｂに含まれる情報は上記の他、スポットの種別（ラーメン屋、レストラン、カレー屋等）やスポットの条件（貸切可能、ランチ向け等）等が含まれていてもよい。スポットデータ１０１ｂに含まれる情報は特に限定されず、少なくともスポットの所在地と一枚以上のスポット画像が含まれていればよい。
【００３８】
スポットデータ１０１ｂは、地図サイト運営者が作成してもよく、地図サイト利用者が作成してもよい。典型的には、地図サイト運営者が所在地やスポット画像を入力してウェブサイトで公開し、地図サイト利用者が各スポットに対する評価点数やコメント等を投稿することによってスポットデータ１０１ｂが作成される。また、地図サイト利用者がスポット画像（料理の写真等）を投稿してもよく、地図サイト利用者が新たなスポットデータ１０１ｂを作成してもよい。
【００３９】
ウェブサイトデータ１０１ｃは、地図サイトを生成するための情報であり、地図サイトのレイアウトや地図サイトで表示される文字列及び画像のデータ、ＣＧＩ（Common Gateway Interface）等が含まれる。
【００４０】
制御部１０２は、記憶部１０１に記憶されている各データから地図サイトの画像（以下、地図サイト画像）を生成し、通信部１０３に送信させる。詳細は後述するが、制御部１０２は、各スポットに対する評価情報を地図サイト画像の生成に利用する。
【００４１】
通信部１０３は、制御部１０２による制御を受けてユーザ端末２００や図示しない他のユーザ端末と通信する。例えば、通信部１０３は、他のユーザ端末からスポットデータ１０１ｂに対する評価情報を受信し、制御部１０２によって生成された地図サイト画像をユーザ端末２００に送信することができる。
【００４２】
ユーザ端末２００は、通信部２０１、制御部２０２及び記憶部２０３を備える。これらの機能的構成は、ハードウェアとソフトウェアの協働によって実現される。
【００４３】
通信部２０１は、制御部２０２による制御を受けてサーバ装置１００の通信部１０３と通信する。具体的には通信部２０１は、地図サイト画像の取得要求を通信部１０３に送信し、通信部１０３から地図サイト画像を取得することができる。
【００４４】
制御部２０２は、通信部２０１が受信した地図サイト画像をディスプレイに出力し、表示させる。
【００４５】
記憶部２０３は、通信部２０１が受信した地図サイト画像を記憶する。
【００４６】
［情報処理システムの動作］
情報処理システム１０の動作について説明する。図４は、サーバ装置１００及びユーザ端末２００の動作を示すフローチャートである。なお、記憶部１０１には予め、地図データ１０１ａ、スポットデータ１０１ｂ及びウェブサイトデータ１０１ｃが記憶されている。
【００４７】
まず、制御部２０２は地図サイト画像取得要求を送信するように通信部２０１を制御し、通信部２０１は同要求を通信部１０３に送信する（Ｓｔ２０１）。地図サイト画像取得要求には、取得を要求する地図の中心座標や縮尺が含まれている。
【００４８】
また、同要求にはユーザによって指定された検索条件が含まれていてもよい。検索条件は例えば、「ラーメン屋」等の店舗種別や「ギョーザ」等の料理名等であり、ユーザは検索文字列の入力やチェックボックスへのチェックによって検索条件を指定することができる。制御部２０２は、ウェブブラウザやアプリケーションに対するユーザの操作入力を受けて、地図サイト画像取得要求を送信させることができる。
【００４９】
制御部１０２は、通信部１０３が地図サイト画像取得要求を取得すると、記憶部１０１から地図データ１０１ａ、スポットデータ１０１ｂ及びウェブサイトデータ１０１ｃを読み出す（Ｓｔ１０１）。
【００５０】
制御部１０２は、地図サイト画像取得要に含まれる地図の中心座標や縮尺から、必要なスポットデータ１０１ｂを読み出すことができる。例えば、制御部１０２は、同要求に含まれる地図の中心座標から所定距離内の位置を所在地とするスポットデータ１０１ｂを読み出すことができる。
【００５１】
また、制御部１０２は、同要求に検索条件が含まれている場合、当該検索条件に対応するスポットデータ１０１ｂのみを読み出すものとすることができる。例えば、検索条件が「ラーメン屋」である場合には、制御部１０２はラーメン屋に該当するスポットデータ１０１ｂのみを読み出すことができる。
【００５２】
続いて、制御部１０２は、記憶部１０１から読み出されたスポットデータ１０１ｂについて、各スポットに対する評価情報から得られる注目指数に応じてスポット画像の大きさを決定する（Ｓｔ１０２）。
【００５３】
各スポットに対する評価情報は、具体的には各スポットに対する評価点数（図２参照）、投稿回数又は投稿されたスポット画像の枚数である。制御部１０２はこれらのいずれか一つを注目指数とすることができる。
【００５４】
また、制御部１０２は、複数の評価情報を組み合わせて注目指数としてもよい。例えば、制御部１０２は、投稿回数が一定値以上のスポットについて、評価点数を注目指数とすることができる。なお、各スポットに対する評価点数は、ユーザによる評価点数であってもよく、キュレーターによる評価点数であってもよい。
【００５５】
制御部１０２は、注目指数を用いて、スポットデータ１０１ｂに含まれるスポット画像の大きさを決定する。例えば、制御部１０２は、スポット画像の面積又は辺の長さを注目指数に比例させることができる。
【００５６】
なお、各スポットデータ１０１ｂに複数のスポット画像が含まれている場合、制御部１０２は一つのスポット画像を選択する。制御部１０２は例えば投稿時刻が最新のスポット画像を選択することができる。また、各スポットデータ１０１ｂに地図サイト運営者によって設定されたスポット画像と地図サイト利用者によって投稿されたスポット画像が含まれる場合、制御部１０２は、地図サイト運営者によって設定されたスポット画像を選択することができる。制御部１０２は、選択したスポット画像の大きさを注目指数に応じて決定する。
【００５７】
続いて、制御部１０２は、地図サイト画像を生成する（Ｓｔ１０３）。図５は、地図サイト画像の例であり、地図Ｍとスポット画像Ｇを含む。制御部１０２は、スポットデータ１０１ｂに含まれる所在地から各スポットの地図上の位置を特定し、各スポットのスポット画像をそのスポット上又はそのスポットの近傍に配置する。
【００５８】
スポット画像の大きさは、前ステップで決定された大きさである。なお、制御部１０２は、スポットデータ１０１ｂに含まれる各スポットの名称や評価点数等をスポット画像と共に配置し、地図サイト画像を生成してもよい。また、制御部１０２は、ウェブサイトデータ１０１ｃに含まれる画像や文字列、レイアウトを利用して地図サイト画像を生成することができる。
【００５９】
制御部１０２は、生成した地図サイト画像を通信部２０１に送信するように、通信部１０３を制御する。制御部２０２は、通信部２０１が受信した地図サイト画像をディスプレイに出力し、表示させる（Ｓｔ２０２）。
【００６０】
情報処理システムは以上のような動作を行う。上記のようにスポット画像は、各スポットに対する評価情報から得られる注目指数に応じた大きさで地図サイト画像上に表示される。これにより、ユーザは、地図上のスポットのうち注目度の高いスポットを容易に把握することが可能である。また、注目度が小さいスポット画像は小さく表示されるため、注目度が小さいスポット画像によってユーザによる地図の視認が妨げられず、利便性が高い。
【００６１】
［地図サイト画像の他の生成方法］
上記のように制御部１０２は、注目指数によって大きさが決定されたスポット画像を含む地図サイト画像を生成するが、次のようにしてもよい。
【００６２】
図６は、制御部１０２によって生成される地図サイト画像の別の例である。同図に示すように、地図Ｍ上の同一領域においてスポット画像Ｇが重複している場合、各スポット画像Ｇの視認が困難となる。これに対し制御部１０２は、地図サイト画像生成ステップ（Ｓｔ１０３）において重なり度数を算出することができる。
【００６３】
重なり度数は、スポット画像の重複の度合いを示す数値であり、例えば、特定のスポット画像の面積に占める他のスポット画像の面積の割合とすることができる。また、特定のスポット画像に対して二枚以上の他のスポット画像が重複する場合、重なり度数を加重してもよい。
【００６４】
制御部１０２は、各スポット画像における重なり度数が一定値以上の場合、重なり度数が当該値未満となるようにスポット画像を移動させ、スポット画像の重複を解消することができる。図７は、スポット画像Ｇを移動させた地図サイト画像の例である。同図に示すように制御部１０２は、図６において他のスポット画像Ｇに重複していたスポット画像Ｇを地図Ｍの欄外に移動させることができる。
【００６５】
この際に制御部１０２は、欄外に移動させたスポット画像Ｇと当該スポット画像Ｇに対応するスポットを引き込み線Ｌで接続し、スポットとスポット画像の関係を明示してもよい。なお、制御部１０２は、重複を生じていないスポット画像は本来の位置に配置することができる。また、制御部１０２は、他のスポット画像に重複していたスポット画像を地図上の他の位置に移動させ、重複を解消してもよい。
【００６６】
さらに、制御部１０２は、地図サイト画像を次のように生成してもよい。図８は、制御部１０２によって生成される地図サイト画像の別の例である。同図に示すように、地図Ｍ上に大きなスポット画像Ｇが多数配置されている場合、地図Ｍの視認が困難となる。これに対し制御部１０２は、地図サイト画像生成ステップ（Ｓｔ１０３）において、地図被覆度数を算出することができる。
【００６７】
地図被覆度数は、地図Ｍのスポット画像Ｇによる被覆の程度を示す数値であり、例えば、地図Ｍの面積に占めるスポット画像Ｇの合計面積の割合とすることができる。制御部１０２は、地図被覆度数が一定値以上の場合、地図被覆度数が当該値未満となるようにスポット画像Ｇを移動させ、スポット画像Ｇによる地図Ｍの被覆を低減させることができる。図９は、スポット画像による地図Ｍの被覆が低減された地図サイト画像の例である。同図に示すように制御部１０２は、スポット画像Ｇを地図Ｍの欄外に移動させることができる。
【００６８】
この際に制御部１０２は、欄外に移動させたスポット画像Ｇと当該スポット画像Ｇに対応するスポットを引き込み線Ｌで接続し、スポットとスポット画像の関係を明示してもよい。なお、制御部１０２は、地図被覆度数が一定値以下になるまで、サイズの大きいスポット画像から順に地図Ｍの欄外に移動させてもよい。
【００６９】
また、制御部１０２は、地図被覆度数が一定値以上の場合には各スポット画像を一定の割合で縮小し、スポット画像による地図の被覆を低減してもよい。スポット画像を一定の割合で縮小することにより、注目指数による各スポット画像の大きさの相対的な関係を維持したまま、地図の視認性を向上させることができる。
【００７０】
さらに、制御部１０２は、地図の縮尺に応じてスポット画像を地図の欄外に移動させてもよい。地図の縮尺が小さいとスポット画像によって被覆される地図上の範囲が大きくなるが、スポット画像を欄外に移動させることにより地図の視認性を向上させることができる。制御部１０２は例えば、縮尺が一定値より小さい場合にはサイズの大きいスポット画像のみを地図の欄外に移動させ、縮尺がさらに小さくなると全てのスポット画像を地図の欄外に移動させることができる。また、制御部１０２は、スポット画像を地図の欄外に移動させる代わりに、地図の縮尺に応じて各スポット画像を一定の割合で縮小してもよい。
【００７１】
［スポット画像の選択について］
制御部１０２は、地図サイト運営者又は地図サイト利用者によって作成されたスポットデータ１０１ｂを利用して地図サイト画像を生成するとしたが、地図サイト画像取得要求に含まれる検索条件に応じてスポット画像を選択してもよい。
【００７２】
具体的には制御部１０２は、スポットデータ１０１ｂが作成された際、又はスポット画像が投稿された際に、スポット画像に画像の内容を示す識別子を付することができる。画像の内容は例えば料理名（「ギョーザ」等）である。制御部１０２はスポットデータ１０１ｂの作成者又はスポット画像の投稿者による入力によって識別子を付してもよく、スポット画像に対する画像処理（物体認識処理等）を実行して画像の内容を判定し、識別子を付してもよい。
【００７３】
制御部１０２は、スポット画像サイズを決定するステップ（Ｓｔ１０３）において当該識別子を利用して地図サイト画像に配置するスポット画像を選択することができる。制御部１０２は、地図サイト画像取得要求に検索条件が含まれている場合、当該検索条件に該当する識別子が付されたスポット画像を選択し、地図サイト画像に配置することが可能となる。
【００７４】
これにより、地図サイト利用者が検索文字列の入力やチェックボックスへのチェック等により検索条件を指定すると、その検索条件に合致したスポット画像が地図サイト画像上に配置される。例えば、検索条件が「ギョーザ」の場合には、スポットが「ラーメン屋」であっても、ラーメンの画像ではなくギョーザの画像がスポット画像として表示される。
【００７５】
［ハードウェア構成］
図１０は、サーバ装置１００のハードウェア構成を示すブロック図である。同図に示すようにサーバ装置１００はハードウェア構成として、ＣＰＵ（Central Processing Unit）１２１、メモリ１２２、ストレージ１２３及び入出力部（Ｉ／Ｏ）１２４を有する。これらはバス１２５によって互いに接続されている。
【００７６】
ＣＰＵ１２１は、メモリ１２２に格納されたプログラムに従って他の構成を制御すると共に、プログラムに従ってデータ処理を行い、処理結果をメモリ１２２に格納する。ＣＰＵ１２１は、サーバ装置１００の機能的構成において制御部１０２として機能する。
【００７７】
メモリ１２２はＣＰＵ１２１によって実行されるプログラム及びデータを一時的に格納する。メモリ１２２はＲＡＭ（Random Access Memory）とすることができる。メモリ１２２は、ストレージ１２３と共にサーバ装置１００の機能的構成において記憶部１０１として機能する。
【００７８】
ストレージ１２３は、プログラムやデータを格納する。ストレージ１２３はＨＤＤ（hard disk drive）やＳＳＤ（solid state drive）等とすることができる。ストレージ１２３は、メモリ１２２と共にサーバ装置１００の機能的構成において記憶部１０１として機能する。
【００７９】
入出力部１２４はユーザ端末２００に対する入力を受け付け、またサーバ装置１００の出力を外部に供給する。入出力部１２４は、ネットワーク等の接続インターフェイスを含む。入出力部１２４は、サーバ装置１００の機能的構成において通信部１０３として機能する。
【００８０】
サーバ装置１００のハードウェア構成はここに示すものに限られず、サーバ装置１００の機能的構成を実現できるものであればよい。また、上記ハードウェア構成の一部又は全部はネットワーク上に存在していてもよい。
【００８１】
図１１は、ユーザ端末２００のハードウェア構成を示すブロック図である。同図に示すようにユーザ端末２００はハードウェア構成として、ＣＰＵ２２１、ＧＰＵ（Graphic Processing Unit）２２２、メモリ２２３、ストレージ２２４及び入出力部（Ｉ／Ｏ）２２５を有する。これらはバス２２６によって互いに接続されている。
【００８２】
ＣＰＵ２２１は、メモリ２２３に格納されたプログラムに従って他の構成を制御すると共に、プログラムに従ってデータ処理を行い、処理結果をメモリ２２３に格納する。ＣＰＵ２２１は、ＧＰＵ２２２と共にユーザ端末２００の機能的構成において制御部２０２として機能する。
【００８３】
ＧＰＵ２２２は、ＣＰＵ２２１による制御を受けて、画像を生成する。ＧＰＵ２２２はマイクロプロセッサとすることができる。ＧＰＵ２２２はＣＰＵ２２１と共にユーザ端末２００の機能的構成において制御部２０２として機能する。
【００８４】
メモリ２２３はＣＰＵ２２１によって実行されるプログラム及びデータを格納する。メモリ２２３はＲＡＭとすることができる。メモリ２２３は、ストレージ２２４と共にユーザ端末２００の機能的構成において記憶部２０３として機能する。
【００８５】
ストレージ２２４は、プログラムやデータを格納する。ストレージ２２４はＨＤＤやＳＳＤ等とすることができる。ストレージ２２４は、メモリ２２３と共にユーザ端末２００の機能的構成において記憶部２０３として機能する。
【００８６】
入出力部２２５はユーザ端末２００に対する入力を受け付け、またユーザ端末２００の出力を外部に供給する。入出力部２２５は、キーボードやマウス等の入力機器やディスプレイ等の出力機器、ネットワーク等の接続インターフェイスを含む。入出力部２２５は、ユーザ端末２００の機能的構成において通信部２０１として機能する。
【００８７】
ユーザ端末２００のハードウェア構成はここに示すものに限られず、ユーザ端末２００の機能的構成を実現できるものであればよい。また、上記ハードウェア構成の一部又は全部はネットワーク上に存在していてもよい。
【００８８】
［変形例］
本発明は上述の実施形態にのみ限定されるものではなく、本開示の要旨を逸脱しない範囲内において種々変更され得る。
【００８９】
（スポット画像の表示頻度の変更）
上記実施形態においては、制御部１０２は注目指数に応じてスポット画像の大きさを決定するとしたが、注目指数に応じてスポット画像の表示頻度を決定してもよい。図１２は変形例に係る情報処理システム１０の動作を示すフローチャートである。
【００９０】
同図に示すように制御部１０２は、通信部１０３が地図サイト画像取得要求を取得すると、記憶部１０１から地図データ１０１ａ、スポットデータ１０１ｂ及びウェブサイトデータ１０１ｃを読み出す（Ｓｔ１０１）。
【００９１】
制御部１０２は、地図サイト画像取得要に含まれる地図の中心座標や縮尺から、必要なスポットデータ１０１ｂを読み出すことができる。例えば、制御部１０２は、同要求に含まれる地図の中心座標から所定距離内の位置を所在地とするスポットデータ１０１ｂを読み出すことができる。
【００９２】
続いて、制御部１０２は、記憶部１０１から読み出されたスポットデータ１０１ｂについて、各スポットに対する評価情報から得られる注目指数に応じてスポット画像の表示頻度を決定する（Ｓｔ１０２）。制御部１０２は、注目指数が高いスポットのスポット画像を高頻度に設定し、注目指数が低いスポットを低頻度に設定することができる。
【００９３】
続いて、制御部１０２は、地図サイト画像を生成する（Ｓｔ１０３）。制御部１０２は、スポットデータ１０１ｂに含まれる所在地から各スポットの地図上の位置を特定し、各スポットのスポット画像をそのスポット上又はそのスポットの近傍に配置する。
【００９４】
図１３及び図１４は、制御部１０２によって生成される地図サイト画像の例である。図１３に示すように、地図Ｍ上でスポット画像Ｇ１〜Ｇ３が重複する場合、制御部１０２は重複するスポット画像Ｇ１〜Ｇ３のうちいずれか一つのみを地図上に配置し、他のスポット画像は配置しないことができる。図１４では、スポット画像Ｇ２のみが地図上に配置されている。制御部１０２は、前ステップにおいて決定した表示頻度で地図上に配置するスポット画像を選択することができる。
【００９５】
制御部１０２は、生成した地図サイト画像を通信部２０１に送信するように、通信部１０３を制御する。制御部２０２は、通信部２０１が受信した地図サイト画像をディスプレイに出力し、表示させる（Ｓｔ２０２）。
【００９６】
情報処理システム１０は以上のような動作を行う。上記のようにスポット画像は、各スポットに対する評価情報から得られる注目指数に応じた表示頻度で地図サイト画像上に表示される。これにより、ユーザは、地図上のスポットのうち注目度の高いスポットを容易に把握することが可能である。また、注目度が小さいスポット画像は低頻度で表示されるため、注目度が小さいスポット画像によってユーザによる地図の視認が妨げられず、利便性が高い。
【００９７】
（スポット画像の表示階層の変更）
上記実施形態においては制御部１０２は、注目指数に応じてスポット画像の大きさを決定するとしたが、注目指数に応じてスポット画像の表示階層を決定してもよい。図１５は変形例に係る情報処理システム１０の動作を示すフローチャートである。
【００９８】
同図に示すように制御部１０２は、通信部１０３が地図サイト画像取得要求を取得すると、記憶部１０１から地図データ１０１ａ、スポットデータ１０１ｂ及びウェブサイトデータ１０１ｃを読み出す（Ｓｔ１０１）。
【００９９】
制御部１０２は、地図サイト画像取得要に含まれる地図の中心座標や縮尺から、必要なスポットデータ１０１ｂを読み出すことができる。例えば、制御部１０２は、同要求に含まれる地図の中心座標から所定距離内の位置を所在地とするスポットデータ１０１ｂを読み出すことができる。
【０１００】
続いて、制御部１０２は、記憶部１０１から読み出されたスポットデータ１０１ｂについて、各スポットに対する評価情報から得られる注目指数に応じてスポット画像の表示階層を決定する（Ｓｔ１０２）。制御部１０２は、注目指数が高いスポットのスポット画像を高階層に設定し、注目指数が低いスポットを低階層に設定することができる。
【０１０１】
続いて、制御部１０２は、地図サイト画像を生成する（Ｓｔ１０３）。制御部１０２は、スポットデータ１０１ｂに含まれる所在地から各スポットの地図上の位置を特定し、各スポットのスポット画像をそのスポット上又はそのスポットの近傍に配置する。
【０１０２】
図１３に示すように、地図Ｍ上でスポット画像Ｇ１〜Ｇ３が重複する場合、重複するスポット画像を前ステップで決定した表示階層の順で重畳させることができる。図１６は、制御部１０２によって生成される地図サイト画像の例である。同図に示すように、制御部１０２は、低階層のスポット画像に高階層のスポット画像が重畳するようにスポット画像を配置することができる。図１６では、スポット画像Ｇ１が最も低階層であり、スポット画像Ｇ３が最も高階層である。
【０１０３】
制御部１０２は、生成した地図サイト画像を通信部２０１に送信するように、通信部１０３を制御する。制御部２０２は、通信部２０１が受信した地図サイト画像をディスプレイに出力し、表示させる（Ｓｔ２０２）。
【０１０４】
情報処理システムは以上のような動作を行う。上記のようにスポット画像は、各スポットに対する評価情報から得られる注目指数に応じた表示頻度で地図サイト画像上に表示される。これにより、ユーザは、地図上のスポットのうち注目度の高いスポットを容易に把握することが可能である。また、注目度が小さいスポット画像は低頻度で表示されるため、注目度が小さいスポット画像によってユーザによる地図の視認が妨げられず、利便性が高い。
【０１０５】
以上のように、本発明に係る情報システムは、スポットの注目指数に応じて、スポット画像の大きさ、表示頻度又は表示階層といったスポット画像の表示態様を決定し、注目指数が大きいスポットほどスポット画像の視認性が向上させる。注目指数に応じて決定するスポット画像の表示態様はここに示すものに限られず、 注目指数が大きいスポットほどスポット画像の視認性が向上するものであればよい。
【０１０６】
（ユーザ端末による地図画像の表示１）
上記実施形態においては、サーバ装置１００の制御部１０２が地図サイト画像を生成するとしたが、ユーザ端末２００の制御部２０２が地図を含む画像（以下、地図画像）を生成してもよい。地図画像は、例えば、地図アプリケーションによって生成される画像である。図１７は、この場合のユーザ端末２００の動作を示すフローチャートである。なお、記憶部２０３には予め地図データ及びスポットデータが記憶されている。スポットデータは評価情報が反映された状態で予めサーバ装置１００からダウンロードされたものとすることができる。
【０１０７】
同図に示すように、制御部２０２は記憶部２０３から地図データ及びスポットデータを読み出し（Ｓｔ２１１）、上述した制御部１０２と同様に、各スポットに対する評価情報から得られる注目指数に応じてスポット画像の表示態様を決定し（Ｓｔ２１２）、地図画像を生成する（Ｓｔ２１３）。表示態様には、上述したスポット画像の大きさ、表示頻度又は表示階層が含まれる。制御部２０２は、地図画像をディスプレイに出力し、表示させる（Ｓｔ２１４）。
【０１０８】
（ユーザ端末による地図画像の表示２）
上記実施形態においては、サーバ装置１００の制御部１０２が地図サイト画像を生成するとしたが、ユーザ端末２００の制御部２０２が地図画像を生成してもよい。情報処理システム１０はナビゲーションシステムであり、ユーザ端末２００は、カーナビゲーション等に利用されるナビゲーション装置とすることができる。地図画像は、ナビゲーション装置によって生成される画像とすることができる。
【０１０９】
図１８は、この場合のサーバ装置１００及びユーザ端末２００の動作を示すフローチャートである。なお記憶部１０１には予め評価情報を反映したスポットデータが記憶され、記憶部２０３には予め地図データが記憶されている。
【０１１０】
同図に示すように、制御部２０２はスポットデータ取得要求を通信部１０３に送信するように通信部２０１を制御する（Ｓｔ２２１）。制御部１０２は、記憶部１０１からスポットデータを読み出し（Ｓｔ１２１）、スポットデータを通信部２０１に送信するように通信部１０３を制御する（Ｓｔ１２２）。スポットデータには少なくとも評価情報とスポット画像が含まれている。
【０１１１】
制御部２０２は、通信部２０１がスポットデータを受信すると、上述した制御部１０２と同様に、各スポットに対する評価情報から得られる注目指数に応じてスポット画像の表示態様を決定し（Ｓｔ２２２）、記憶部２０３から読み出した地図データを利用して地図画像を生成する（Ｓｔ２２３）。表示態様には、上述したスポット画像の大きさ、表示頻度又は表示階層が含まれる。制御部２０２は、地図画像をディスプレイに出力し、表示させる（Ｓｔ２２４）。
【符号の説明】
【０１１２】
１０…情報処理システム
１００…サーバ装置
１０１…記憶部
１０２…制御部
１０３…通信部
２００…ユーザ端末
２０１…通信部
２０２…制御部
２０３…記憶部
【図１】
2019015979.tif 000003
【図２】
2019015979.tif 000004
【図３】
2019015979.tif 000005
【図４】
2019015979.tif 000006
【図５】
2019015979.tif 000007
【図６】
2019015979.tif 000008
【図７】
2019015979.tif 000009
【図８】
2019015979.tif 000010
【図９】
2019015979.tif 000011
【図１０】
2019015979.tif 000012
【図１１】
2019015979.tif 000013
【図１２】
2019015979.tif 000014
【図１３】
2019015979.tif 000015
【図１４】
2019015979.tif 000016
【図１５】
2019015979.tif 000017
【図１６】
2019015979.tif 000018
【図１７】
2019015979.tif 000019
【図１８】
2019015979.tif 000020